(57)【要約】【課題】たとえカード状媒体がカールしている場合であってもヘッド位置での引っかかりを防止する。【解決手段】搬送路２０２上を搬送されるカード３にヘッド１２９を押し当てながら搬送するカード状媒体搬送機構２０１であって、ヘッド１２９は搬送路２０２内に進入、退避可能に移動するとともに、ヘッド１２９が退避状態のとき、カード状媒体３の搬送方向に沿って移動し搬送路２０２を形成するガイド部２０３が設けられている。【選択図】図１８
2006240762.tif 000002
【特許請求の範囲】
【請求項１】
搬送路上を搬送されるカード状媒体にヘッドを押し当てながら搬送するカード状媒体搬送機構において、前記ヘッドは前記搬送路内に進入、退避可能に移動するとともに、前記ヘッドが退避状態のとき、前記カード状媒体の搬送方向に沿って移動し前記搬送路を形成するガイド部が設けられていることを特徴とするカード状媒体搬送機構。
【発明の詳細な説明】
【技術分野】
【０００１】
本発明は、カード状媒体搬送機構に関する。更に詳しくは、本発明は、印字ヘッド等のヘッドを有するカード状媒体搬送機構に関するものである。
【背景技術】
【０００２】
ロール紙を所定長にカットして切符等のカード状媒体を発券する装置として、例えば特開平１０−２１４３０号公報に開示された発券装置がある。この発券装置を図３４に示す。ロール紙５０１を搬送手段５０２によって繰り出してカッター部５０３で所定長に切断し、切断した券５０４に印刷部５０５で駅名情報等の券情報を印刷すると共に、磁気ヘッド５０６で駅名情報や金額情報等の磁気データを書き込んだ後、発行口５０７から排出する。また、投入口５０８から投入された発行済み券の磁気情報を読み取る読み取り磁気ヘッド５０９を備えている。
【０００３】
券の搬送路は読み取り磁気ヘッド５０９の下流で、発行口５０７へと通じる搬送路と投入口５０８へと通じる搬送路とに分岐している。また、この分岐点と読み取り磁気ヘッド５０９との間で、廃棄される券を取り込んで孔あけ処理を行う廃券パンチ５１０に通じる搬送路が分岐している。
【０００４】
この発券装置では、券の発行方向に関して印刷部５０５の下流側に磁気ヘッド５０６，５０９や廃券パンチ５１０を配置している。このため、投入口５０８から投入された発行済み券や廃券パンチ５１０へと搬送される廃券が印刷部５０５を上流に向けて逆行することはない。即ち、印刷部５０５において券を逆方向に搬送することはジャム発生の原因となり得るので、印刷部５０５において券を逆方向に搬送することがない構造としている。
【０００５】
また、別のタイプの発券装置として、発行口と投入口とを共通化し、同じ口を利用して新券の発行と発行済み券の取り込みを行うものがある。かかる発券装置では、新券の発行に必要な印刷部等を通るメイン搬送路とは別に、メイン通路の印刷部等を迂回する迂回搬送路を設け、印刷部において券を逆方向に搬送しないようにしている。ロール紙をカットして新券を発行する場合には、メイン通路を利用して新券を搬送し、印刷や磁気データ処理を行った後、共通口から発行する。一方、共通口から取り込んだ発行済み券は、最初はメイン搬送路に入るが、途中で分岐する迂回搬送路に送り込まれ、印刷部を迂回した後、メイン搬送路に戻され、回収部へと搬送される。
【０００６】
これらのようなロール紙を所定長にカットしてカード状の媒体を発行するタイプの発券装置では、カットしたカード状媒体がロール紙に巻かれていたことに起因してカールしていることがある。このため、搬送路の両側にガイドを設けてカールしたカード状媒体の先端が搬送路途中に設けられた部材に引っかかるのを防止している。
【特許文献１】特開平１０−２１４３０号
【発明の開示】
【発明が解決しようとする課題】
【０００７】
しかしながら、搬送路の途中に設けられるプリントヘッドの位置にはカールしたカード状媒体の引っかかりを防止するガイドを設けることが困難である。つまり、搬送路の途中に設ける搬送ローラや磁気ヘッドに比べてプリントヘッドは幅広であり、搬送ローラや磁気ヘッドの両脇には上記ガイドを設置できるが、プリントヘッドの両脇には上記ガイドを設置するスペースがない。このため、上記ガイドがプリントヘッドの位置で途切れてしまい、この部分でカード状媒体が引っかかる虞がある。
【０００８】
この問題は、上述の発券装置のように印刷部５０５に対して券が一方向にのみ通過する構造のものや、プリントヘッドとして端面型のものを採用する発券装置でも問題になるが、特に、カード状媒体がプリントヘッドを双方向から通過するタイプの発券装置や、プリントヘッドとして平面型のものを採用する発券装置では、顕著な問題となる。
【０００９】
また、上述の特開平１０−２１４３０号に記載された発券装置では、発行口５０７と投入口５０８を別々に設けており、それぞれに通じる搬送路を別々に設けているので、構造が複雑になると共に部品点数が増加し、装置が大型化してしまう。また、上述のメイン搬送路の他に迂回搬送路を設けている発券装置でも、同様に、搬送路の多さから構造が複雑になると共に部品点数が増加し、装置が大型化してしまうという問題がある。
【００１０】
本発明は、たとえカード状媒体がカールしている場合であってもヘッド位置での引っかかりを防止することができるカード状媒体搬送機構を提供することを目的とする。また、本発明は、ヘッド位置において、カード状媒体を往復方向のいずれにも搬送させることができるカード状媒体搬送機構を提供することを目的とする。
【課題を解決するための手段】
【００１１】
かかる目的を達成するために本発明は、搬送路上を搬送されるカード状媒体にヘッドを押し当てながら搬送するカード状媒体搬送機構において、ヘッドは搬送路内に進入、退避可能に移動するとともに、ヘッドが退避状態のとき、カード状媒体の搬送方向に沿って移動し搬送路を形成するガイド部が設けられているものである。
【００１２】
したがって、ヘッドを使用しない場合には、ヘッドを搬送路から退避させる。そして、ヘッドが在った位置にガイド部を移動させると、ヘッド周辺の隙間が塞がれる。カード状媒体はガイド部に案内されてこの位置を通過する。一方、ヘッドを使用する場合には、ガイド部を元の位置に戻すことでヘッドを搬送路内に進入させることができる。また、ヘッド位置において、カード状媒体を往復方向のいずれにも搬送させることが可能になる。
【発明の効果】
【００１３】
本発明のカード状媒体搬送機構では、ヘッドが搬送路内に進入、退避可能に移動するとともに、ヘッドが退避状態のとき、カード状媒体の搬送方向に沿って移動し搬送路を形成するガイド部を設けているので、ガイド部を移動させることで、ヘッドが在った位置の隙間を塞ぐことができる。このため、変形していないカード状媒体を使用する場合は勿論のこと、たとえカード状媒体がカールや湾曲等していた場合であっても、ヘッド位置で引っかかることなくカード状媒体をスムースに搬送することができる。また、ヘッド位置において、カード状媒体を往復方向のいずれにも搬送させることが可能になる。このため、カード搬送路をその搬送方向毎にそれぞれ設ける必要がなくなり、構造が簡単になると共に部寸点数を減少させることができ、機構を小型化、軽量化することができる。
【発明を実施するための最良の形態】
【００１４】
以下、本発明の構成を図面に示す最良の形態に基づいて詳細に説明する。なお、本実施形態では、カード状媒体としてロール紙をカットしたものを例に説明しているが、ロール紙をカットしたカード状媒体に限らず、はじめからカード状を成すカード状媒体でも良い。また、カード状媒体としては、紙製のカードに限るものではなく、プラスチック製、金属製、その他の材料製のカード状媒体でも良い。
【００１５】
図１〜図３１に、本発明のカード状媒体搬送機構を示す。このカード状媒体搬送機構２０１は、搬送路２０２上を搬送されるカード状媒体３にヘッド１２９を押し当てながら搬送するもので、ヘッド１２９は搬送路２０２内に進入、退避可能に移動するとともに、ヘッド１２９が退避状態（図１の状態）のとき、カード状媒体３の搬送方向（図１の矢印Ａ方向）に沿って移動し搬送路２０２を形成するガイド部２０３が設けられている。本実施形態では、例えば切符等のカード状媒体（以下、カードという）３を発行するカード発行機１に採用されているカード状媒体搬送機構２０１を例に説明する。ただし、カード発行機１としては、切符等を発行するものに限るものではないことは勿論である。また、ヘッド１２９として、例えばカード３に印刷を行う印字ヘッド１２９を採用している。ただし、印字ヘッド１２９に限るものでなく、その他のヘッドでも良いことは勿論である。
【００１６】
カード発行機１は、切符等のカード３の発行に使用するものであり、表側が印字面で裏側が磁性面であるロール紙２を所定の長さに切断して、磁性面に磁気データを記録すると共に印字面に文字等を感熱印字してカード３を発行するものである。図３３にカード３を示す。ロール紙２の表面の一側には所定間隔でマーク２５７が付されており、カード発行機１はマーク２５７に基づいてロール紙２の長さを判断し、所定の長さに切断してカード３とする。なお、図３３中符号２５８で示す領域は、裏面の磁性面において磁気ストライプとして使用しデータを書き込む領域である。また、符号２５９で示す位置にはカード３の使用時において入場を示す孔があけられ、符号２６０で示す位置には出場を示す孔があけられる。
【００１７】
このカード発行機１は、ロール紙２を保持するロール紙の取付機構４と、取付機構４に保持されたロール紙２を取り込んで搬送する第１取込機構５と、搬送中のロール紙２の弛みを形成するループ機構６と、ループ機構６からのロール紙２を取り込んで搬送する第２取込機構７と、ロール紙２を切断してカード３にするカット機構８と、カード３を待機させるカード待機部９と、カード３を直角に方向転換させながら搬送するカード送り機構１０と、カード３の磁性面に磁気データを記録及び再生するライトリード部１１と、カード３の印字面に印字を行う印字部１２と、完成されたカード３を外部に搬出するカード発行部１３と、カード３への磁気データの記録及び再生に異常があった場合にそのカード３を回収して収納する回収部１４とを備えている。
【００１８】
そして、図４〜図６に示すように、カード発行機１の各部は薄い直方体形状のケーシング１５に収容されている。このケーシング１５内には、本体シャーシ２１０が固定されている。本体シャーシ２１０には、本体シャーシ２１０との間にガイド部２０３を取り付けるフレームガイド２１１と、本体シャーシ２１０との間に第１取込機構５、ループ機構６、第２取込機構７、カット機構８、カード待機部９、カード送り機構１０、ライトリード部１１を取り付ける図示しないフレームプレートが取り付けられている。第１取込機構５、ループ機構６、第２取込機構７、カット機構８、カード待機部９、カード送り機構１０、ライトリード部１１、印字部１２、カード発行部１３はロール紙２の搬送経路に沿って順に配設されている。また、回収部１４はカード送り機構１０に連続して配設されている。
【００１９】
また、図１に示すように、搬送路２０２は、カット機構８からカード送り機構１０までの鉛直な第１の直線搬送路１５９と、カード送り機構１０から印字部１２までの水平な第２の直線搬送路１６０と、これら第１の直線搬送路１５９及び第２の直線搬送路１６０の間に位置する屈曲部９８とから成る。屈曲部９８は円弧形状であり、第１の直線搬送路１５９と第２の直線搬送路１６０とを９０度に方向転換する。これにより、カード発行機１の小型化を図ることができる。さらに、第１の直線搬送路１５９は、互いに向き合う第１ガイド２８及び第２ガイド２９から成る。また、第２の直線搬送路１６０は、互いに向き合う第２ガイド２９及び第３ガイド３０から成る。屈曲部９８は、第２ガイド２９と第１ガイド２８及び第３ガイド３０から成る。本実施形態では屈曲部９８はカード３を９０度に方向転換するものとしているが、これには限られずカード発行機１での搬送路２０２の配置に応じて他の曲折角度とすることができる。
【００２０】
また、図３及び図４に示すように、ケーシング１５にはガイドドア２４６が設けられている。このガイドドア２４６は、蝶番１９，１９により開閉可能に取り付けられている。このガイドドア２４６の内側面にはスペーサ板２４８が固着されている。
【００２１】
ガイドドア２４６を閉じた状態では、搬送路２０２の幅方向の一方の側部をガイドドア２４６の内側面又はスペーサ板２４８によって規制すると共に、搬送路２０２の幅方向の他方の側部を本体シャーシ２１０によって規制している。そして、カード３は本体シャーシ２１０を基準面として搬送される。ガイドドア２４６の上側には、図３に示すようなカバー板３２が取り付けられている。
【００２２】
ロール紙２の取付機構４は、図７及び図１１に示すように、巻回されたロール紙２の中心孔であるロール芯３３が嵌め合わされる回転可能なスピンドル３４と、このスピンドル３４を回転可能に支持する固定軸３５と、ロール紙２をスピンドル３４に固定するロール紙取付部材３６とを備えている。ロール紙取付部材３６は、ロール芯３３の側方に位置する押さえ部３７と、固定軸３５内に挿入して保持される被保持部３８とを備えている。ここで、スピンドル３４にロール芯３３を嵌め合わせることにより、ロール紙２が回転可能に支持される。なお、図７中符号２６２は、本体シャーシ２１０に固着されたサイドフレームである。
【００２３】
固定軸３５は、挿入された被保持部３８に係止する弾性的に付勢された係止部３９を備えている。固定軸３５は、ほぼ円筒形状としている。固定軸３５の基端面は詳しくは後述すくロール紙シャーシ２４７にねじ止めにより固定している。固定軸３５の外周にはスピンドル３４が回転可能に嵌合されている。固定軸３５の先端部にはＣリング４１が嵌合されてスピンドル３４の固定軸３５からの脱落を防止している。
【００２４】
係止部３９は、固定軸３５の中央部付近に形成された１本の直径線上に位置する２本の貫通孔４２，４２と、各貫通孔４２に摺動可能に収容された例えば鋼球であるボール４３と、各貫通孔４２の外側にねじ止めされた板ばねから成るばね４４とから成る。このばね４４は、自由端が各貫通孔４２の外側を塞ぐように固定軸３５のＤカット面にねじ止めされている。ここで、ボール４３を使用しているので、被保持部３８は固定軸３５に対して円滑に回転することができる。また、ボール４３として鋼球を使用しているので、回転の長寿命化を図ることができる。
【００２５】
本実施形態では２本の貫通孔４２を直線上に配置しているが、これには限られず例えば９０度等の適宜な角度を開けて配置しても良い。また、本実施形態では貫通孔４２とボール４３とばね４４とを２組設けているが、これには限られず１組としたり３組以上設けても良い。さらに、本実施形態ではばね４４を板ばねとしているが、これには限られず例えば図１２に示すようにボール４３を固定軸３５の中心側に押圧する圧縮コイルばねとすることができる。この場合、ばね４４の外周側を押さえる当て板１５４を固定軸３５のＤカット面に取り付ける。また、本実施形態ではボール４３を鋼球としているが、これには限られず例えばプラスチックボールとしたり他の材質のものとすることができる。この場合、被保持部３８の着脱の際の節度感や操作感を変更することができる。すなわち、本実施形態のようにボール４３に鋼球を用いるとカチッとした硬い節度感を得ることができるのに対し、ボール４３にプラスチックボールを使用すると軟らかい操作感を得ることができる。
【００２６】
スピンドル３４のフレーム側の端部には外周側に突出したフランジ部３４ａが形成されている。そして、スピンドル３４に嵌合されたロール芯３３はフランジ部３４ａに当接して固定される。ここで、スピンドル３４のフランジ３４ａのロール芯３３が当接する面とスピンドル３４の先端面との長さはロール芯３３の幅よりも僅かに短くしている。このため、固定軸３５に装着されたロール紙取付部材３６の押さえ部３７はロール芯３３に当接すると共にスピンドル３４に対して僅かに隙間を生ずる。これにより、押さえ部３７がロール芯３３をフランジ３４ａに隙間無く押し付けることができる。
【００２７】
被保持部３８は、固定軸３５の中心孔３５ａに挿入される中心軸としている。被保持部３８の挿入方向の先端部は円錐状としている。そして、被保持部３８には、係止部３９であるボール４３，４３が嵌入して係止する係合凹部４５が形成されている。係合凹部４５は被保持部３８の挿入方向の先端部付近に環状に形成されている。また、係合凹部４５の挿入方向先端側の段は、外周側を先端側に傾斜した押さえ面４５ａとしている。
【００２８】
さらに、押さえ部３７は、外径がロール紙２のロール芯３３の内径よりも若干大きい円板としている。本実施形態では押さえ部３７を外径がロール芯３３の内径よりも若干大きい円板としているが、これには限られず例えばロール紙２の全体の外径よりも大きい円板としたり、図１３に示すようにロール紙２の外径よりも長い２本の腕部を有する十字形板とすることができる。これらの場合、巻回したロール紙２の中心と外周部とが軸方向にずれて円錐状になっていたり円柱状に巻回したロール紙２が不整列で側面に凹凸がある場合には、ロール紙２の側面を押さえ部３７により押さえながら回転させることができるので、ロール紙２の安定した供給を行うことができる。
【００２９】
そして、被保持部３８の挿入方向と反対側の端面には押さえ部３７を挟んで摘み４６がねじ止めされている。ここで、被保持部３８での係合凹部４５の形成位置は、被保持部３８を固定軸３５に挿入して押さえ部３７がロール芯３３に当接したときにボール４３，４３が係合凹部４５の押さえ面４５ａを押圧する位置としている。本実施形態ではロール紙取付部材３６の被保持部３８と押さえ部３７と摘み４６とを別部材としているが、これには限られず全体を一体成形しても良い。
【００３０】
固定軸３５の中心孔３５ａに被保持部３８を挿入すると、被保持部３８の先端部がボール４３，４３をばね４４，４４に抗して外周側に移動させる。そして、押さえ部３７がロール芯３３に当接するまで被保持部３８を挿入する。これにより、ボール４３，４３はばね４４，４４により中心側に押圧されて係合凹部４５に嵌入する。ここで、ボール４３は係合凹部４５の押さえ面４５ａに当接する。この押さえ面４５ａは外周側を挿入方向側に傾斜させているので、被保持部３８は挿入方向に向けて付勢される。したがって、ロール紙取付部材３６を固定軸３５に装着した後にロール芯３３にがたつきが発生することを防止できる。
【００３１】
また、装着されたロール紙２は、スピンドル３４及びロール紙取付部材３６と一体になって固定軸３５に対して回転する。さらに、摘み４６を引っ張ると係合凹部４５の押さえ面４５ａがボール４３，４３をばね４４，４４に抗して移動させる。そして、被保持部３８を固定軸３５から抜き出すことができる。
【００３２】
そして、ロール紙の取付機構４から取り出されたロール紙２は、第１取込機構５に引き込まれる。第１取込機構５は、第１取込ローラ４７と、この第１取込ローラ４７を回転させる直流モータから成る第１の駆動モータと、第１取込ローラ４７にロール紙２を押し付けるテンションローラ４９とを備えている。第１取込ローラ４７は図示しないフレームプレートと本体シャーシ２１０とにより回転可能に支持されている。テンションローラ４９はホルダ５１により回転可能に支持されている。このホルダ５１はフレームプレートと本体シャーシ２１０とにより揺動可能に支持されている。さらに、ホルダ５１は、ばね（図示せず）によりテンションローラ４９を第１取込ローラ４７に付勢している。
【００３３】
ループ機構６は、ループローラ５３と、このループローラ５３を回転可能に支持するループレバー５４とを備えている。ループレバー５４の基端部はフレームプレートと本体シャーシ２１０とにより回転可能に支持されている。この支持位置は第１取込ローラ４７と第２取込ローラ５５とのロール紙２の最短経路（図１中一点鎖線Ｌで示す）にループレバー５４が跨るものとしている。また、このループレバー５４に向き合う本体シャーシ２１０には、図８に示すように円弧形状のスライド孔５７が形成されている。スライド孔５７の形成位置は、ループレバー５４がほぼ水平な状態から約４５度下方に傾斜する範囲で回転可能な位置としている。
【００３４】
さらに、本体シャーシ２１０の裏側でスライド孔５７の最下部にはループレバー５４の存在を検出するループセンサ（図示せず）が取り付けられている。このため、ループレバー５４が最も下がった状態ではこのループレバー５４がループセンサにより検出される。また、ループレバー５４が上方に回転した状態ではループレバー５４がループセンサから外れて検出されない。
【００３５】
これにより、第１取込機構５と第２取込機構７との間でロール紙２が十分な長さのループ５９を形成している場合は、ループローラ５３が自重でロール紙２を押し下げてループレバー５４が最も下がった状態になるので、ループレバー５４がループセンサにより検出される。また、第１取込機構５と第２取込機構７との間でロール紙２のループ長が短い場合は、ロール紙２がループローラ５３を押し上げてループレバー５４が上方に回転した状態になるので、ループレバー５４がループセンサにより検出されなくなる。このループセンサの非検出により第１取込機構５を作動させて、ロール紙２のループ５９を十分な長さにする。このループ機構６によればループレバー５４が第１取込ローラ４７と第２取込ローラ５５との最短経路に跨っているので、ロール紙２を装着する際にループローラ５３に掛け忘れて最短経路にショートカットして掛けてしまうことを防止できる。
【００３６】
第２取込機構７は、第２取込ローラ５５と、この第２取込ローラ５５を回転させるステッピングモータから成る第２の駆動モータ（図示せず）と、第２取込ローラ５５にロール紙２を押し付けるテンションローラ６１とを備えている。第２取込ローラ５５はフレームプレートと本体シャーシ２１０とにより回転可能に支持されている。
【００３７】
第２取込ローラ５５とカット機構８との間には、マーク検知センサ２１が配置されている。マーク検知センサ２１は、ロール紙２に形成されたマーク２５９を検出することによりロール紙２をカード１枚分の長さだけカット機構８に搬送するためのものである。
【００３８】
カット機構８は、図１４に示すように、ロータリカッタ６８とカッタ駆動モータ（図示せず）とを備えている。ロータリカッタ６８は、ブラケット７０に固定された固定刃７１と、この固定刃７１と平行かつ回転可能に設けられた回転刃７２と、回転刃７２の一端部に固着されたカッタアーム７３とを有している。回転刃７２は円柱の一部を面取りして断面Ｄ字形状としている。そして、回転刃７２の面取り面７２ａと固定刃７１の一側縁との間にロール紙２を通し、回転刃７２を回転させて固定刃７１との間の剪断力によりロール紙２を切断する。カッタアーム７３には長手方向の溝７３ａが形成されている。この溝７３ａにカッタ駆動モータによって回転されるカムリング（図示せず）上のカムローラ（図示せず）が入れられている。このため、カッタ駆動モータの回転によりカムリングが回転されると、カムローラが円運動を行い、カッタアーム７３を介して回転刃７２が回転してロール紙２を切断することができる。そして、ロール紙２はカットされることによりカード３となる。
【００３９】
カード待機部９は、カード３を搬送するという指令がホストから出されるまでの間、カード３を保持して待機させるものである。このカード待機部９は、待機搬送ローラ７８と待機テンションローラ７９とを備えている。待機搬送ローラ７８及び待機テンションローラ７９は、フレームプレートと本体シャーシ２１０とにより回転可能に支持されている。待機搬送ローラ７８は、直流モータから成る図示しない搬送モータによって回転される。
【００４０】
カット機構８によってカットされたカード３は、待機搬送ローラ７８と待機テンションローラ７９、駆動ローラ９９，１００とパッドローラ９７、記録部搬送ローラ１２５と記録部テンションローラ１２６、再生部搬送ローラ１１５と再生部テンションローラ１２７によって搬送路２０２を第１の直線搬送路１５９→屈曲９８→第２の直線搬送路１６０の順に搬送されて、印字部１２へと搬送される。
【００４１】
屈曲部９８にはカード送り機構１０が設けられている。カード送り機構１０は、屈曲性のあるカード３を第１の直線搬送路１５９から所定の角度を有する屈曲部９８を介して第２の直線搬送路１６０に走行させるようにしたものである。このカード送り機構１０は、屈曲部９８の外側に配置した第１駆動ローラ９９及び第２駆動ローラ１００と、屈曲部９８の内側に配置すると共に第１駆動ローラ９９及び第２駆動ローラ１００に同時に当接可能な共通ローラ９７を備えている。
【００４２】
第１駆動ローラ９９は第１ガイド２８の開口部から搬送路２０２に突出している。第２駆動ローラ１００は第３ガイド３０の開口部から搬送路２０２に突出している。共通ローラ９７は、第２ガイド２９の開口部から搬送路２０２に突出していると共に、第１駆動ローラ９９及び第２駆動ローラ１００を押圧するテンションローラである。この共通ローラ９７の直径は、カード３が屈曲部９８を搬送する際にカール癖が付いて印字部１２等で引っ掛かるといった悪影響が生じない程度に小さくしている。このため、カード送り機構１０の小型化を図ることができる。
【００４３】
第１駆動ローラ９９と第２駆動ローラ１００は、上述した搬送モータによって回転される。
【００４４】
ところで、第１ガイド２８の下流側の端部は第１駆動ローラ９９と第２駆動ローラ１００との間に位置する。そして、第２ガイド２９は共通ローラ９７に沿って円弧状に直角に折れ曲がり印字部１２まで連続している。また、第３ガイド３０が回収部１４から第２駆動ローラ１００を経て印字部１２まで連続している。
【００４５】
ここで、回収部１４から第１ガイド２８の下流端部までの間にセレクタ１１７が設けられている。セレクタ１１７は、図１５に示すように平板形状の板ばねで、回収部１４側の端部、即ち上端部１１７ａを下方に直角に折り曲げてリジェクトスタッカ１２１にねじ止めされている。また、セレクタ１１７の反対側の端部、即ち下端部１１７ｂは第１ガイド２８の下流端部で上方に僅かに折れ曲がり第２ガイド２９のカード搬送面上に位置している。
【００４６】
このセレクタ１１７は通常はばね圧で下方に位置して搬送路２０２を塞いでいる。そして、カード３が正方向に搬送されるときは、セレクタ１１７の下端部１１７ｂを押し上げて屈曲部９８を通過する。また、カード３がライトリード部１１から逆方向に搬送されるときは、カード３はセレクタ１１７の下端部１１７ｂにより上側に案内されて第１駆動ローラ９９及び共通ローラ９７に取り込まれることなく回収部１４に搬送される。
【００４７】
また、セレクタ１１７の上端部１１７ａ付近の搬送路２０２には、リジェクト搬送ローラ１１８と、このリジェクト搬送ローラ１１８にカード３を押し付けるテンションローラ１１９とが向き合って配置されている。リジェクト搬送ローラ１１８はフレームプレートと本体シャーシ２１０とにより回転可能に支持されている。このリジェクト搬送ローラ１１８は、第１駆動ローラ９９とギヤにより連結されている。このため、例えば図１中でカード３を逆方向（左方向）に搬送する場合は各コーナー搬送ローラ９９，１００を右回転方向に回転させるので、リジェクト搬送ローラ１１８は左回転方向に回転されてカード３が回収部１４に搬送される。さらに、テンションローラ１１９はホルダ（図示せず）により回転可能に支持されている。このホルダはフレームプレートと本体シャーシ２１０とにより回転可能に支持されている。さらに、ホルダは、ばね（図示せず）によりテンションローラ１１９をリジェクト搬送ローラ１１８に付勢している。
【００４８】
ここで、セレクタ１１７の上端部とリジェクト搬送ローラ１１８及びテンションローラ１１９との位置関係は、図１６に示すように排出寸前のカード３のセレクタ１１７の上端部よりも先の部分の重心Ｗを力点とし、セレクタ１１７の上端部を支点とし、テンションローラ１１９への反力Ｒを作用点としたときに、力点及び支点の距離ｍと支点及び作用点の距離ｎとの比ｍ：ｎが約４．５：１となるようにしている。この比率にすることにより、カード３は排出される直前までに先端側が十分に重くなると共にカード３の後端はテンションローラ１１９の回転により跳ね上げられるので、排出されたカード３はカード先端３ａが下向きとなって落とされる。このため、カード３が排出により先端が跳ね上がってリジェクトスタッカ１２１の上部に引っかかってリジェクト搬送ローラ１１８及びテンションローラ１１９により再び搬送路２０２に引き込まれることを防止できる。
【００４９】
回収部１４は、図１６，図１７に示すように、リジェクトスタッカ１２１と規制ガイド１２２とを備えている。リジェクトスタッカ１２１は、セレクタ１１７の上端部の下方に位置する側板部１２１ａと、この側板部１２１ａの下端からケーシング１５の側部にまで位置する底板部１２１ｂとを備えている。底板部１２１ｂはケーシング１５の側部側を下方にして傾斜している。
【００５０】
規制ガイド１２２は、セレクタ１１７の延長線上、即ちカード３の排出方向に沿って、その上側に設けられている。このため、図１７に示すように、カード３がリジェクト搬送ローラ１１８により排出される際に巻き癖により上向きに湾曲している場合でも、規制ガイド１２２によりカード３の湾曲が下方に矯正される。このため、排出されたカード３が失速してリジェクトスタッカ１２１の上部に引っかかって再び搬送路２０２に引き込まれることを防止できる。しかも、排出されたカード３は順番に重ねられるので、不良カード等の管理を容易に行うことができる。
【００５１】
カード送り機構１０から正常に搬送されたカード３は、第２ガイド２９及び第３ガイド３０から成る搬送路２０２に案内されてライトリード部１１に搬送される。ライトリード部１１は、カード３に所定の磁気データを記録するための記録ヘッド１２３と、この記録ヘッド１２３の下流側に配置されると共にカード３に記録された磁気データを読み出す再生ヘッド１２４とを備えている。これらのヘッド１２３，１２４のヘッド面は、第２ガイド２９の開口部から搬送路２０２に突出してバックアップローラ（図示せず）に圧接している。このバックアップローラは第３ガイド３０の開口部から搬送路２０２に突出している。
【００５２】
また、記録ヘッド１２３のバックアップローラと同軸上に記録部搬送ローラ１２５が設けられている。そして、再生ヘッド１２４のバックアップローラと同軸上に再生部搬送ローラ１１５が設けられている。これら搬送ローラ１２５，１１５は第３ガイド３０の開口部から搬送路２０２に突出している。
【００５３】
さらに、記録部搬送ローラ１２５に搬送路２０２を挟んで向き合う位置、即ち記録ヘッド１２３に対してカード３の幅方向に重なる位置に記録部テンションローラ１２６が設けられて記録部搬送ローラ１２５を押圧している。また、再生部搬送ローラ１１５に搬送路２０２を挟んで向き合う位置、即ち再生ヘッド１２４に対してカード３の幅方向に重なる位置に再生部テンションローラ１２７が設けられて再生部搬送ローラ１１５を押圧している。これらテンションローラ１２６，１２７は第２ガイド２９の開口部から搬送路２０２に突出している。
【００５４】
記録部搬送ローラ１２５及び再生部搬送ローラ１１５はフレームプレートと本体シャーシ２１０とにより回転可能に支持されている。これら記録部搬送ローラ１２５及び再生部搬送ローラ１１５はカード送り機構１０の第２駆動ローラ１００と共に図示しないモータによって回転される。
【００５５】
記録部テンションローラ１２６及び再生部テンションローラ１２７は、それぞれホルダ（図示せず）により回転可能に支持されている。各ホルダはフレームプレートと本体シャーシ２１０とにより回転可能に支持されている。さらに、各ホルダは、ばね（図示せず）により各テンションローラ１２６，１２７を各搬送ローラ１２５，１１５に付勢している。
【００５６】
ライトリード部１１と印字部１２との間には、図示しない印字タイミングセンサが配置されている。この印字タイミングセンサによりカード３のサーマル面に印字を行うタイミングが図られる。
【００５７】
印字部１２は、印字ヘッド１２９を備えている。印字ヘッド１２９は、例えばサーマルヘッドである。印字ヘッド１２９は、図３２に示す駆動機構により図１に示す退避位置と図２に示す印字位置（進入位置）との間で移動される。本実施形態では、印字ヘッド１２９として、搬送路２０２に対して傾斜させた状態で使用する平面型の印字ヘッドを使用している。ただし、搬送路２０２に対して水平状態で使用する平面型の印字ヘッドを使用しても良く、さらには、端面型の印字ヘッドを使用しても良い。
【００５８】
ガイド部２０３は、図１８〜図３１に詳しく示すように、サーマルヘッド１２９及びプラテンローラ２０４を挟んで配置された前後２つのガイドユニット２０５，２０６と、各ガイドユニット２０５，２０６を駆動する駆動手段２０７より構成されている。各ガイドユニット２０５，２０６は、搬送路２０２の両側に配置された２枚の上固定ガイド２０８と、各上固定ガイド２０８の間に配置された可動ガイド２０９を備えている。
【００５９】
各ガイドユニット２０５，２０６の上固定ガイド２０８は、本体シャーシ２１０又はフレームガイド２１１に固着されている。上固定ガイド２０８は、本体シャーシ２１０又はフレームガイド２１１に固着されている下固定ガイド２１２との間に所定の隙間をあけて配置されており、上固定ガイド２０８と下固定ガイド２１２との間が搬送路２０２になっている。なお、下固定ガイド２１２は、プラテンローラ２０４を挟んで前後（カード３の搬送方向上流側と下流側）に設けられている。
【００６０】
前側（搬送方向上流側）ガイドユニット２０５の可動ガイド２０９は１本の固定ガイド軸２１３によって図１８に示す位置から後側に向けてスライド可能に支持されており、後側（搬送方向下流側）ガイドユニット２０６の可動ガイド２０９は２本の固定ガイド軸２１３によって図１８に示す位置から前側に向けてスライド可能に支持されている。なお、前側ガイドユニット２０５の可動ガイド２０９を支持する固定ガイド軸２１３は１本であるが、この可動ガイド２０９には駆動手段２０７のスライドレバー２１４が連結されているので、可動ガイド２０９が固定ガイド軸２１３を中心に揺動してしまうことはない。可動ガイド２０９の両脇には側板２０９ａが設けられており、各側板２０９ａにはカード３の搬送方向に細長い長孔２１５が設けられている。各長孔２１５に固定ガイド軸２１３を貫通させることで可動ガイド２０９を搬送方向Ａにスライド可能に支持している。各固定ガイド軸２１３の両端部にはガイドスペーサ２１６がはめ込まれており、可動ガイド２０９の両脇の上固定ガイド２０８に対してどちらかに偏らせることなく、両脇の上固定ガイド２０８の中央に可動ガイド２０９を位置決めしている。
【００６１】
前後のガイドユニット２０５，２０６の可動ガイド２０９の対向端には、互い違いになる凹凸が形成されている。本実施形態では、前側ガイドユニット２０５の可動ガイド２０９の後端に２つの凹部２１７を設け、後側ガイドユニット２０６の可動ガイド２０９の先端には２つの凸部２１８を設けている。
【００６２】
前側ガイドユニット２０５の可動ガイド２０９には、パッドローラ２１９を搬送路２０２に突出させる長孔２０９ｄが設けられている。パッドローラ２１９を回転自在に支持するパッドレバー２２０は、前側ガイドユニット２０５の可動ガイド２０９に重ねるように配置され、可動ガイド２０９と一緒に固定ガイド軸２１３に支持されている。パッドレバー２２０と本体シャーシ２１０との間にはパッドばね２２１が伸ばされた状態で設けられており、パッドばね２２１によってパッドローラ２１９は搬送路２０２に突出する方向に付勢されている。パッドローラ２１９の下には、駆動ローラ２２２が設けられている。
【００６３】
このようにパッドレバー２２０を可動ガイド２０９に重ねるように配置しているので、機構を小型化することができる。また、パッドレバー２２０と可動ガイド２０９を共通の固定ガイド軸２１３によって支持することで、いわばパッドレバー２２０の支点軸と可動ガイド２０９のガイド軸とを共通化することができるので、機構を小型化することができる。
【００６４】
また、後側ガイドユニット２０６の可動ガイド２０９には、パッドローラ２２３を搬送路２０２に突出させる長孔２０９ｂと、パッドローラ２２４を媒体搬送路２０２に突出させる長孔２０９ｃが設けられている。パッドローラ２２３を回転自在に支持するパッドレバー２２５は、後側ガイドユニット２０６の可動ガイド２０９に重ねるように配置され、可動ガイド２０９と一緒に固定ガイド軸２１３に支持されている。また、パッドローラ２２４を回転自在に支持するパッドレバー２２６は、パッドレバー２２５と可動ガイド２０９との間に重ねるように配置され、可動ガイド２０９と一緒に固定ガイド軸２１３に支持されている。パッドレバー２２５及びパッドレバー２２６と本体シャーシ２１０との間にはパッドばね２２７が伸ばされた状態で設けられており、パッドばね２２７によってパッドローラ２２３，２２４は搬送路２０２に突出する方向に付勢されている。各パッドローラ２２３，２２４の下には、駆動ローラ２２８，２２９がそれぞれ設けられている。
【００６５】
このようにパッドレバー２２５とパッドレバー２２６を重ね、更に可動ガイド２０９に重ねるように配置しているので、機構を小型化することができる。また、パッドレバー２２５と可動ガイド２０９を共通の固定ガイド軸２１３によって支持することで、いわばパッドレバー２２５の支点軸と可動ガイド２０９のガイド軸とを共通化することができ、パッドレバー２２６と可動ガイド２０９を共通の固定ガイド軸２１３によって支持することで、いわばパッドレバー２２６の支点軸と可動ガイド２０９のガイド軸とを共通化することができるので、機構を小型化することができる。
【００６６】
駆動手段２０７は、本体シャーシ２１０に固定されたソレノイド２３０と、ソレノイドレバー支点軸２３１によって揺動可能に本体シャーシ２１０に取り付けられてソレノイド２３０によって揺動されるソレノイドレバー２３２と、ソレノイドレバー２３２によって前後方向に移動する２本のスライドレバー２１４と、スライドレバー２１４と後側ガイドユニット２０６の可動ガイド２０９を連結する２本のレバー２３３を備えている。２本のスライドレバー２１４は、その前後部分を連動軸２３４，２３５によって連結され一体となってスライドする。後側の連動軸２３５にはソレノイドレバー２３２が連結されている。また、各スライドレバー２１４の前端にはアーム２３６がそれぞれ一体成形されており、各アーム２３６の先端は連動軸２３７によって前側ガイドユニット２０５の可動ガイド２０９にそれぞれ連結されている。レバー２３３は、駆動ローラ２２９が固定されているシャフト２３８にレバースリーブ２３９を介して揺動可能に取り付けられている。レバー２３３の一端は軸２６２を介してスライドレバー２１４に、他端は軸２６３を介して後側ガイドユニット２０６の可動ガイド２０９にそれぞれ連結されている。ソレノイドレバー２３２には軸２６４が取り付けられており、軸２６４と本体シャーシ２１０との間にはコイルスプリング２４０が伸びた状態で設けられている。
【００６７】
ソレノイド２３０がオフ状態の場合には、コイルスプリング２４０によってソレノイドレバー２３２が図１８に示す位置に引き寄せられており、スライドレバー２１４は前側ガイドユニット２０５の可動ガイド２０９を前側に移動させている。また、レバー２３３は後側ガイドユニット２０６の可動ガイド２０９を後側に移動させている。即ち、前後の可動ガイド２０９が開いている。
【００６８】
この状態からソレノイド２３０がオン操作されると、図１９に示すようにソレノイド２３０がコイルスプリング２４０の付勢力に抗してソレノイドレバー２３２を揺動させる。このため、スライドレバー２１４が後側にスライドし、前側ガイドユニット２０５の可動ガイド２０９を後側にスライドさせる。また、スライドレバー２１４のスライドによってレバー２３３が揺動し、後側ガイドユニット２０６の可動ガイド２０９を前側に移動させる。このため、前後の可動ガイド２０９が閉じる。閉じた状態では、後側ガイドユニット２０６の可動ガイド２０９の凸部２１８が前側ガイドユニット２０５の可動ガイド２０９の凹部２１７に入り込んでおり、カード３の幅方向から見ると各可動ガイド２０９の端部が重なり合う構造となっている。このため、各可動ガイド２０９ユニット２０５，２０６間をカード３が往復方向のいずれの方向にもスムースに通過することができる。
【００６９】
この状態から、ソレノイド２３０がオフ操作されると、ソレノイドレバー２３２が図１８に示す元の位置に戻り、スライドレバー２１４を前側位置に戻すので、前後の可動ガイド２０９が開く。
【００７０】
可動ガイド２０９の開閉にソレノイド２３０を使用しているので、素早く可動ガイド２０９を開閉することができる。
【００７１】
カード発行機１のホストは、カード発行機１が客待ちの待機状態の時には、ソレノイド２３０をオフしている。このため、可動ガイド２０９は開いた状態になっている。そして、客によってカード発行機１が操作されると、即ちカード発行機１が作動すると、ホストはソレノイド２３０をオン操作して可動ガイド２０９を閉じる。
【００７２】
カード発行機１の作動中において、ホストは、サーマルヘッド１２９が退避している場合には前後の可動ガイド２０９を閉じており、カードに印字するためにサーマルヘッド１２９を媒体搬送路２０２に進入させる場合にのみ前後の可動ガイド２０９を開く。
【００７３】
印字ヘッド１２９を移動させる構造を図３２示す。印字ヘッド１２９は、本体シャーシ２１０に軸３５４を中心に揺動自在に取り付けられたヘッド支持レバー３５１に固定されている。ヘッド支持レバー３５１にはアーム３５２が取り付けられており、アーム３５２と本体シャーシ２１０との間にはコイルスプリング３５３が伸ばされた状態で設けられている。したがって、印字ヘッド１２９は搬送路２０２に進入させる方向にコイルスプリング３５３によって常時付勢されている。また、本体シャーシ２１０には図示しないヘッド駆動用モータが取り付けられており、ヘッド駆動用モータの回転軸に取り付けられたカムを回転させることで、ヘッド支持レバー２５１を上げ下げする。
【００７４】
ヘッド駆動用モータは、ホストによって操作される。ホストの操作によってヘッド駆動モータが回転すると、ヘッド駆動用モータの回転軸に取り付けられたカムが回転し、コイルスプリング３５３の付勢力に抗してヘッド支持レバー３５１を持ち上げ印字ヘッド１２９を上昇させる。そして、印字ヘッド１２９を退避位置まで上昇させると、ホストはヘッド駆動用モータを停止させる。
【００７５】
この状態では、コイルスプリング３５３の付勢力がヘッド支持レバー３５１を下降させる方向に作用しているが、この力がカムに作用してもカムは回転しない。このため、ヘッド駆動用モータがカムを回転させない限り、ヘッド支持レバー３５１が下がることはない。即ち、ヘッド駆動用モータの停止状態では、印字ヘッド１２９が退避位置に保持される。
【００７６】
一方、ホストの操作によってヘッド駆動モータが回転すると、カムが回転してヘッド支持レバー３５１を上昇させる力が解除される。このため、コイルスプリング３５３の付勢力によってヘッド支持レバー２５１が下がり、印字ヘッド１２９が搬送路２０２に進入する。
【００７７】
印字ヘッド１２９の近傍には、インクリボン２５１を案内するガイドローラ２５２，２５３とガイドピン２５４が設けられている。供給側リール２５５に巻かれているインクリボン２５１は、ガイドローラ２５２とパッドローラ２１９の間を通り、印字ヘッド１２９と搬送路２０２の間を通り、ガイドピン２５４とガイドローラ２５３の間を通って巻き取りリール２５６によって巻き取られる。巻き取りリール２５６は図示しないモータによって駆動される。供給側リール２５５に巻かれているインクリボン２５１を巻き取りリール２５６によって巻き取ることで、インクリボン２５１の新しい部分が次々に印字ヘッド１２９に供給される。
【００７８】
印字されたカード３は発行口２６１から発行される。
【００７９】
上述したカード発行機１の動作を説明する。まず、図７及び図１１に示すようにロール紙２を装填する。この装填は、ロール紙２のロール芯３３をスピンドル３４に嵌合してロール紙取付部材３６を固定軸３５に装着することにより行われる。そして、ガイドドア２４６を開いた状態で、ロール紙２の外周端部を第１取込機構５とループ機構６と第２取込機構７とを通してカット機構８に装着する。
【００８０】
そして、ガイドドア２４６を閉じてフィードスイッチ（図示せず）を押して各取込ローラ４７，５５と搬送モータを回転させる。ここで、ロール紙２の最外周分に相当する枚数分のカードに順次切断しつつ搬送し、これを回収部１４に取り込んで無効とする。これは、ロール紙２は外周面が磁性面となっているので、この磁性面の傷や汚れによる誤動作を回避するためである。この回収部１４への取込は、搬送モータを正転させてカード３を第２ガイド２９及び第３ガイド３０の間に位置させてから搬送モータを逆転させてセレクタ１１７及びリジェクト搬送ローラ１１８を経て行われる。
【００８１】
リジェクト動作が終了すると、最初の１枚目のカード３が待機状態となる。これにより、セット完了状態となる。また、この状態では、ソレノイド２３０はオフされており、ガイド部２０３の可動ガイド２０９は開いている。
【００８２】
そして、ホストによりカード発行指令信号が出力されると、搬送モータが回転される。これにより、カード待機部９にあったカード３が第１の直線搬送路１５９→屈曲９８→第２直線搬送路１６０へと搬送される。また、同時に、ソレノイドがオン操作され、開いていたガイド部２０３の可動ガイド２０９が閉じられる。
【００８３】
このカード３は、記録ヘッド１２３により磁気データが書き込まれて再生ヘッド１２４により磁気データが読み出される。ここで、データの読み出しが正常で有れば、カード３が印字部１２の印字ヘッド１２９の位置に搬送される。この状態では、可動ガイド２０９が閉じているので、たとえカード３がカールや湾曲等していても、カード３の先端が搬送路２０２から外れて印字ヘッド１２９の手前側の隙間等に入り込むのを防止することができる。
【００８４】
このとき、図示しない印字タイミングセンサによってカード３が検出されると、ホストがソレノイド２３０をオフするので、可動ガイド２０９が開く。同時に、ホストはヘッド駆動モータを作動させて印字ヘッド１２９を搬送路２０２に進入させる。これにより、カード３に印字が行われる。そして、印字されたカード３は、カード発行口２６１から排出される。ホストはヘッド駆動モータを作動させて印字ヘッド１２９をカード搬送路から退避させると共に、ソレノイドをオン操作して可動ガイドを閉じる。
【００８５】
また、カード３の傷や埃により磁気データの読み出しに異常があった場合は、エラーを検出した時点で搬送モータが逆転してカード３をセレクタ１１７を経て回収部１４に送り込む。これにより、異常が発生したカード３をリジェクトスタッカ１２１に取り込む。
【００８６】
一方、次カードの発行は、先行カードの後端が記録ヘッド１２３の近傍に到達した時点で第２取込ローラ５５が回転されることにより開始される。このため、次のカード３を作成するためのロール紙２がカット機構８からカード待機部９に送り込まれる。このロール紙２は上述と同様の動作により所定の長さのカード３に切断されて、カード待機部９に待機される。
【００８７】
ここで、第２取込ローラ５５の回転によりループ５９が短くなると、ループ機構６が作動して第１取込ローラ４７が回転される。これにより、ループ５９を常に所定の長さに確保することができる。
【００８８】
また、一旦発行したカード３を取り込む場合には、発行口２６１に差し込まれたカード３を図示しないＥＪＳセンサが検出すると、ホストは各駆動ローラ２２９，２２８、プラテンローラ２０４、駆動ローラ２２２を逆転させて印字部１２を逆行させてライトリード部１１に搬送し、さらに搬送モータを逆転させてカード３をセレクタ１１７を経て回収部１４に送り込む。このとき、ガイド部２０３の可動ガイド２０９は閉じており、たとえカード３が湾曲やカールしていても、印字ヘッド１２９周辺の隙間に入り込むことがなく、カード３のジャムを防止してスムースに搬送することができると共に、カード３の先端部が痛んだり折れたりすることを防止できる。
【００８９】
このように、カード状媒体搬送機構２０１では、動作中において、カード３に印字を行う時以外は、印字部１２の隙間を可動ガイド２０９で塞ぐことができるので、カード３の搬送をスムースに行うことができ、ジャムを防止することができる。特に印字ヘッド１２９として平面型のものを採用するとジャムが生じ易いが、カード状媒体搬送機構２０１では、平面型の印字ヘッド１２９を採用してもジャムを確実に防止することができる。また、平面型の印字ヘッド１２９を採用すると、印字を迅速に行うことができるので、迅速にカード３を発行することができる。さらに、印字部１２において、カード３の搬送方向を往復方向にできるので、カード３を発行するための搬送路と、一旦発行したカードを取り込むための搬送路を別々に設ける必要がなくなり、構造が簡単になり、部品点数を少なくすることができ、製造コストを安くすることができると共に、機構を小型化、軽量化することができる。
【００９０】
一方、本実施形態のロール紙２の取付機構４によれば、ロール紙取付部材３６の被保持部３８は固定軸３５の係止部３９に弾性的に付勢されて係止されると共にこの係止にはねじ部材による締付を必要としないので、ロール紙２及びスピンドル３４の回転方向に拘わらずロール紙２はスピンドル３４に対して常に緩みやがたつきを生ずることなく保持することができる。このため、ロール紙２の安定した供給を行うことができるようになる。
【００９１】
また、このロール紙２の取付機構４によれば、被保持部３８は係止部３９に弾性的に付勢されて係止されたものであると共にこの係止にはねじ部材による締付を必要としないので、この付勢力よりも大きな力で被保持部３８を固定軸３５から引っ張ればロール紙取付部材３６をスピンドル３４から取り外すことができる。この状態でロール紙２をスピンドル３４に対して着脱することができる。このため、ロール紙の交換作業をワンタッチで迅速に行うことができ作業性を向上させることができる。
【００９２】
さらに、被保持部３８は係止部３９に弾性的に付勢されて係止されたものであるので、被保持部３８が固定軸３５に対して回転するときに係止部３９により長期間の安定した摩擦が与えられる。このため、ロール紙２を引っ張ることを停止すると、ロール紙２は被保持部３８と係止部３９との摩擦により停止する。これにより、ロール紙２の慣性で回転が続くことによりロール紙２と第１取込機構５との間に弛みが生ずることを軽減できるので、次に第１取込機構５を作動させたときにロール紙２が弛んだ状態から引っ張って弛みがなくなって張力が急増することを軽減できる。このため、ロール紙２のスリップを防いで安定した搬送を維持することができる。
【００９３】
このように、カード状媒体搬送機構２０１は、ロール紙２を搬送路２０２に配置された例えば第１取込ローラ４７、テンションローラ４９、第２取込ローラ５５、テンションローラ６１によって構成されたローラ手段２４１により引き出し、ローラ手段２４１により搬送されたロール紙２を所定の長さに切断してカード３とし、カード３を搬送するものである。そして、ロール紙２が収納されている収納部２４２は図７に示すように、カード３の搬送路２０２の基準面２４３よりも外側に突出してロール紙２の幅よりも大きな幅Ｗ２を有するとともに、カード３を搬送する搬送路２０２にはカット機構８よりも上流側の位置に搬送されるカード３の幅方向を規制する規制手段２４４が配置されている。
【００９４】
収納部２４２では本体シャーシ２１０にロール紙２よりも僅かに大径の窓２４５が設けられており、その窓２４５はロール紙シャーシ（磁気ロール紙装着プレート）２４７によって塞がれている。この構造によって本体シャーシ２１０の厚さ分だけ収納部２４２の幅Ｗ２が広くなる。
【００９５】
ここで、本体シャーシ２１０は、搬送路２０２の幅方向奥側の位置を決定する部材であり、本体シャーシ２１０の内側面は搬送路２０２の基準面２４３である。ロール紙２を収納する収納部２４２は、一般的に基準面２４３を基準にして形成されている。即ち、従来は、搬送路２０２の基準面２４３である本体シャーシ２１０とガイドドア２４６とで収納部２４２が構成されていた。この構造では、収納部２４２の手前側（ロール紙取付部３６側）にはロール紙２の巻き乱れを吸収できる空間を設けることができるが、収納部２４２の奥側（本体シャーシ２１０側）にはロール紙２の巻き乱れを吸収する空間を設けることができない。
【００９６】
これに対し、本実施形態では、搬送路２０２の基準面２４３は本体シャーシ２１０であるが、本体シャーシ２１０よりも外側のロール紙シャーシ２４７とガイドドア２４６とで収納部２４２の幅Ｗ２を決定している。このため、収納部２４２の幅Ｗ２を奥側に広げることができる。つまり、収納部２４２の手前側にロール紙２の巻き乱れを吸収できる空間Ｓ１を設けることができるのは勿論のこと、収納部２４２の奥側にもロール紙２の巻き乱れを吸収できる空間Ｓ２を設けることができる。したがって、ロール紙２が巻き乱れていてもロール紙２をスムースに回転させることができる。また、ロール紙２と収納部２４２を構成する部材（本実施形態ではロール紙シャーシ２４７、従来の構成では本体シャーシ）との接触防止を図ることができ、異音等の発生防止やロール紙側面のつぶれ等の防止を図ることができる。例えば、０．６ｍｍだけ収納部２４２の幅を広くしている。
【００９７】
規制手段２４４はガイドドア２４６の内面に設けられている。本実施形態では、規制手段２４４は、例えばロール紙２に当たり幅方向にずれないようにガイドし位置決めする凸部である。本実施形態では、ロール紙２の搬送経路であって、第１の取込機構５の近傍位置に１つの規制手段２４４を、第２取込機構７の近傍に２つの規制手段２４４を設けている。規制手段２４４を設けることで、収納部２４２の幅Ｗ２をカット機構８，ライトリード部１１、印字部１２における搬送路２０２の幅Ｗ１よりも大きくしても、ロール紙２の幅方向の位置決めを行った状態でカット機構８に供給することができる。
【００９８】
また、搬送されたカード状媒体３を回収する回収部１４及び回収部１４近傍の搬送路２０２は、カード３の幅よりも大きな幅Ｗ３で形成されている。本実施形態では、ガイドドア２４６の内側にスペーサ板２４８を固着させているが、このスペーサ板２４８に、回収部１４及び回収部１４近傍の搬送路２０２に対応する部分で切り欠きを設けておくことで、スペーサ板２４８の厚みの分だけ回収部１４及び回収部１４近傍の搬送路２０２の幅Ｗ３を相対的に広くしている。
【００９９】
つまり、磁気記録部２４９に対応する範囲にはスペーサ板２４８を配置し、このスペーサ板２４８によってカード３を幅方向に位置決めすることで、即ち、搬送路２０２の幅をＷ１にすることで、カード３の幅方向へのずれを防止している。一方、回収部１４及び回収部１４近傍の搬送路２０２に対応する範囲では、スペーサ板２４８を切り欠いておくことで、スペーサ板２４８の厚みの分だけ幅を広くし、カード３が自重によって落下する際の引っかかりを防止している。例えば、０．６ｍｍだけ回収部１４及び回収部１４近傍の搬送路２０２の幅Ｗ３を広くしている。
【０１００】
また、本実施形態では、第１の取込機構５、ループ機構６、第２取込機構７に対応する部分にスペーサ板２４８がかからないようにしているので、回収部１４と同様に、スペーサ板２４８の厚みの分だけ幅が広くなっている（Ｗ３）。これにより、ロール紙２の移動がスムースになり、ループ５９の形成や搬送を容易にしている。例えば、０．６ｍｍだけ第１の取込機構５、ループ機構６、第２取込機構７に対応する範囲の搬送路２０２の幅を広くしている。
【０１０１】
本体シャーシ２１０には、磁気記録部２４９を囲むようにして、例えば４本の幅決め支柱２５０が取り付けられている。ガイドドア２４６を閉めるとスペーサ板２４８が４本の幅決め支柱２５０に度当たりし、磁気記録部２４９における搬送路２０２の幅を正確に決めることができる。
【０１０２】
なお、上述の形態は本発明の好適な形態の一例ではあるがこれに限定されるものではなく本発明の要旨を逸脱しない範囲において種々変形実施可能である。
【０１０３】
例えば、上述の説明では、２つの可動ガイド２０９をスライドさせて開閉させるようにしていたが、必ずしも可動ガイド２０９を２つ設ける必要はなく、例えば可動ガイド２０９を１つ設け、この可動ガイド２０９を大きく移動させるようにして各固定ガイド２０８の間を開閉するようにしても良い。
【０１０４】
また、上述の説明では、ソレノイド２３０によってソレノイドレバー２３２を駆動していたが、駆動源としてはソレノイド２３０に限るものではなく。例えばモータ等によってソレノイドレバー２３２を駆動しても良い。また、スライドレバー２１４をモータ等により直接駆動しても良い。
【０１０５】
また、２本のスライドレバー２１４の間隔を搬送路２０２の幅とほぼ同じ寸法にし、スライドレバー２１４によって上固定ガイド２０８を兼ねるようにしても良い。
【０１０６】
また、上述の説明では、パッドレバー２２０の支点軸と可動ガイド２０９のガイド軸とを固定ガイド軸２１３によって共通化していたが、支点軸とガイド軸とを別々に設けても良い。同様に、パッドレバー２２５の支点軸と可動ガイド２０９のガイド軸とを固定ガイド軸２１３によって共通化していたが、支点軸とガイド軸とを別々に設けても良い。同様に、パッドレバー２２６の支点軸と可動ガイド２０９のガイド軸とを固定ガイド軸２１３によって共通化していたが、支点軸とガイド軸とを別々に設けても良い。
【０１０７】
また、上述の説明では、印字ヘッド１２９はサーマルヘッドであったが、サーマルヘッド以外の印字ヘッド１２９でも良い。
【０１０８】
また、上述の説明では、ガイドドア２４６とスペーサ板２４８によって媒体幅方向ガイドを構成することで、ドア方式の媒体幅方向ガイドとしていたが、ドア方式にせず、固定式の媒体幅方向ガイドにしても良い。
【０１０９】
また、上述の説明では、ガイドドア２４６にスペーサ板２４８を固着することでガイドドア２４６の内側面に段差を形成するようにしていたが、スペーサ板２４８を固着するのに代えてガイドドア２４６の内側面自体を絞り加工等により膨出させて段差を設けるようにしても良い。
【０１１０】
また、上述の説明では、本体シャーシ２１０に幅決め支柱２５０を取り付け、幅決め支柱２５０にスペーサ板２４８を度当たりさせることでスペーサ板２４８の位置決めを行っていたが、幅決め支柱２５０に代えて、幅決めスペーサを本体シャーシ２１０に取り付け、幅決めスペーサによってスペーサ板２４８を位置決めするようにしても良い。
【０１１１】
また、上述の説明では、本体シャーシ２１０に窓２４５を設けると共に、その窓２４５をロール紙シャーシ２４７によって塞ぐことで、収納部２４２の幅Ｗ２を奥側に広げていたが、必ずしもこの構成に限るものではなく、本体シャーシ２１０に絞り加工等による段差を設けることでその段差分だけ収納部２４２の幅Ｗ２を奥側に広げるようにしても良い。
【０１１２】
なお、上述の説明では、規制手段２４４を第１の取込機構５の近傍と第２の取込機構７の近傍に設けることで、ロール紙２を送り出す駆動力の発揮される部分の近くに設けるようにしているので、作用する駆動力が大きな位置でロール紙２の幅方向の位置決めを行うことができ、ジャムの無い搬送が可能である。
【図面の簡単な説明】
【０１１３】
【図１】カード状媒体搬送機構の実施形態の一例を示し、印字ヘッドが搬送路から退避し、可動ガイドが閉じている状態の概略構成図である。
【図２】同カード状媒体搬送機構の印字ヘッドが搬送路に進入し、可動ガイドが開いている状態の概略構成図である。
【図３】同カード状媒体搬送機構を採用するカード発行機の内部構造を示す図である。
【図４】同カード発行機の平面図である。
【図５】同カード発行機の正面図である。
【図６】同カード発行機の背面図である。
【図７】図３のＡ−Ａ線に沿う本体シャーシやロール紙等の断面図である。
【図８】本体シャーシの正面図である。
【図９】ガイドドアを表側から示した図で、各部材の配置を併せて示した図である。
【図１０】ガイドドアと幅決め支柱との関係を示す図である。
【図１１】ロール紙の取付機構の要部を示す縦断面図である。
【図１２】ロール紙の取付機構の固定軸の他の実施形態を示す縦断面図である。
【図１３】ロール紙の取付機構の押さえ部の他の実施形態を示す正面図である。
【図１４】ロータリカッタを示す図であり、（Ａ）は背面図、（Ｂ）は平面図である。
【図１５】セレクタを示す図であり、（Ａ）は底面図、（Ｂ）は側面図である。
【図１６】不正なカードが排出される状態を示す正面図である。
【図１７】収納機構を示す正面図である。
【図１８】カード状媒体搬送機構の実施形態の一例を示し、印字ヘッドが搬送路に進入し、可動ガイドが開いている状態の概略構成図である。
【図１９】カード状媒体搬送機構の実施形態の一例を示し、印字ヘッドが搬送路から退避し、可動ガイドが閉じている状態の概略構成図である。
【図２０】カード状媒体搬送機構のガイド部の前後のガイドユニットを示し、可動ガイドが開いている状態の平面図である。
【図２１】カード状媒体搬送機構のガイド部の前後のガイドユニットを示し、可動ガイドが閉じている状態の平面図である。
【図２２】前側ガイドユニットの可動ガイドを示す側面図である。
【図２３】後側ガイドユニットの可動ガイドを示す側面図である。
【図２４】後側ガイドユニットの縦断面図である。
【図２５】前後のガイドユニットにパッドレバーを取り付けた状態を示し、可動ガイドが開いている状態の平面図である。
【図２６】前側ガイドユニットにパッドレバーを取り付けた状態を示す側面図である。
【図２７】前側ガイドユニットに取り付けるパッドレバーの側面図である。
【図２８】後側ガイドユニットにパッドレバーを取り付けた状態を示す側面図である。
【図２９】後側ガイドユニットに取り付ける第１のパッドレバーの側面図である。
【図３０】後側ガイドユニットに取り付ける第２のパッドレバーの側面図である。
【図３１】後側ガイドユニットにパッドレバーを取り付けた状態の断面図である。
【図３２】印字ヘッドを移動させる機構の概略構成図である。
【図３３】カードの平面図である。
【図３４】従来のカード発行装置を示す概略構成図である。
【符号の説明】
【０１１４】
２  ロール紙
３  カード（カード状媒体）
１４  回収部
１２９  印字ヘッド
２０１  カード状媒体搬送機構
２０２  搬送路
２０３  ガイド部
２４２  収納部
２４３  搬送路の基準面
２４４  規制手段
Ｗ２  収納部の幅
【図１】
2006240762.tif 000003
【図２】
2006240762.tif 000004
【図３】
2006240762.tif 000005
【図４】
2006240762.tif 000006
【図５】
2006240762.tif 000007
【図６】
2006240762.tif 000008
【図７】
2006240762.tif 000009
【図８】
2006240762.tif 000010
【図９】
2006240762.tif 000011
【図１０】
2006240762.tif 000012
【図１１】
2006240762.tif 000013
【図１２】
2006240762.tif 000014
【図１３】
2006240762.tif 000015
【図１４】
2006240762.tif 000016
【図１５】
2006240762.tif 000017
【図１６】
2006240762.tif 000018
【図１７】
2006240762.tif 000019
【図１８】
2006240762.tif 000020
【図１９】
2006240762.tif 000021
【図２０】
2006240762.tif 000022
【図２１】
2006240762.tif 000023
【図２２】
2006240762.tif 000024
【図２３】
2006240762.tif 000025
【図２４】
2006240762.tif 000026
【図２５】
2006240762.tif 000027
【図２６】
2006240762.tif 000028
【図２７】
2006240762.tif 000029
【図２８】
2006240762.tif 000030
【図２９】
2006240762.tif 000031
【図３０】
2006240762.tif 000032
【図３１】
2006240762.tif 000033
【図３２】
2006240762.tif 000034
【図３３】
2006240762.tif 000035
【図３４】
2006240762.tif 000036